(57)【特許請求の範囲】
【請求項１】
側面部と屋根部と底面部と鍵盤部を有する楽器本体部と、前記鍵盤部に対する鍵操作により楽音信号を生成する楽音信号生成部を有する電子鍵盤楽器において、
１又は複数の面スピーカが、少なくとも前記屋根部に配設され、前記楽音信号生成部により生成された楽音信号に応じた音を出力し、
前記屋根部は、前記面スピーカが配設された屋根板を有し、
前記屋根板は、前記楽器本体部に対し、当該屋根板の１辺に沿った軸を中心に回動自在に取り付けられ、前記楽器本体部の上部分を開閉し、
前記屋根板に配設された面スピーカは、前記屋根板の裏面に沿って配設され、前記屋根板に対しリンク機構により平行移動自在に連結され、前記屋根板の回動により前記楽器本体部の上部分が開かれたときに外界に露出し、前記屋根板の回動により前記楽器本体部の上部分を閉じるときに前記楽器本体部の内部に設けられた係止部材に当接することにより、
前記屋根板に配設された面スピーカと前記屋根板との対向間隔は、前記屋根板が前記楽器本体部の上部分を閉じているときに比べて前記楽器本体部の上部分を開いているときの方が拡がるようにした、
ことを特徴とする電子鍵盤楽器。
【請求項２】
前記面スピーカは、前記底面部にも配設され、
前記底面部に配設された面スピーカは、内部空間と外界とを仕切る位置に配設され、当該面スピーカから出力された音が前記内部空間と前記外界との双方に伝搬する、
ことを特徴とする請求項１に記載の電子鍵盤楽器。
【発明の詳細な説明】
【技術分野】
【０００１】
本発明は、静電型スピーカ等の面スピーカを備え、楽音を面スピーカから出力する電子鍵盤楽器に関する。
【背景技術】
【０００２】
電気音響変換器として、厚みの薄い面スピーカが知られている。例えば、電極間に電圧を印加しクローン力を利用して駆動する静電型スピーカ（コンデンサスピーカともいう）や、圧電特性を有するフィルムを用いたものなどが知られている。
面スピーカは、平板の面積を広くとるほど、音の指向性が平板に垂直な方向に強くなり、その結果、音が遠くまで到達する。
【０００３】
このうち、静電型スピーカとして、最近注目されているものは、薄型フレキシブル（flexible）静電型スピーカである。これは、薄型・軽量であるとともに、柔軟性があるため、曲げることが可能で、曲げた後に応力が残らず、元の形状に戻りにくいという性質がある（特許文献１，２等参照）。
このような特徴を活用して、複数個の静電スピーカを折り曲げ可能に連結することにより、カーテンスピーカを実現し、音場を自在にコントロールできるようにしたものが知られている（特許文献２）。
しかし、電子鍵盤楽器において、従来はダイナミック型（動電型）のコーンスピーカが使用され、静電型スピーカのような面スピーカを、その特色を活用して採用することが検討されていなかった。
【先行技術文献】
【特許文献】
【０００４】
【特許文献１】特開２０１０−６８０５３号公報
【特許文献２】特開２００８−２８６５２号公報
【発明の概要】
【発明が解決しようとする課題】
【０００５】
本発明は、上述した問題点を解決するためになされたもので、電子鍵盤楽器の構造に適合するように、面スピーカの配置や取付構造を工夫し、薄型で柔軟性のある面スピーカの特長を活用した電子鍵盤楽器を提供することを目的とするものである。
【課題を解決するための手段】
【０００６】
本発明は、請求項１に記載の発明においては、側面部（図１の１）と屋根部（図１の２）と底面部（図１の３：棚板）と鍵盤部（図１の４）を有する楽器本体部と、前記鍵盤部に対する鍵操作により楽音信号を生成する楽音信号生成部（図７の６３）を有する電子鍵盤楽器において、１又は複数の面スピーカが、少なくとも前記屋根部に配設され、前記楽音信号生成部により生成された楽音信号に応じた音を出力し、前記屋根部は、前記面スピーカ（図１の７）が配設された屋根板（２ａ）を有し、前記屋根板は、前記楽器本体部に対し、当該屋根板の１辺に沿った軸（A−A）を中心に回動自在に取り付けられ、前記楽器本体部の上部分（８：内蓋板）を開閉し、前記屋根板に配設された面スピーカは、前記屋根板の裏面に沿って配設され、前記屋根板に対しリンク機構（図２の１４ａ〜１４ｄ）により平行移動自在に連結され、前記屋根板の回動により前記楽器本体部の上部分が開かれたときに外界に露出し、前記屋根板の回動により前記楽器本体部の上部分を閉じるときに前記楽器本体部の内部に設けられた係止部材（８：内蓋板）に当接することにより、前記屋根板に配設された面スピーカと前記屋根板との対向間隔（図１，図３のd）は、前記屋根板が前記楽器本体部の上部分を閉じているとき（図３のd＝dc）に比べて前記楽器本体部の上部分を開いているとき（図１，図３のd＝do）の方が拡がるようにしたものである。
従って、鍵盤以外の筐体部に配設された面スピーカから楽音が出力されるので、生鍵盤楽器の響板のように、電子鍵盤楽器の筐体面が響くように聞こえる。そのため、楽器らしい音がする。
面スピーカから平面波が発生するので、聴取位置が電子鍵盤楽器から遠ざかっても減衰が少なく、よく聞こえる。一方、聴取位置が電子鍵盤楽器の至近位置になってもうるさく感じられない。
【０００７】
面スピーカは、近似的に２次元面と見なせるような厚みの薄いスピーカであって、平坦で薄い平板形状であるが、薄い平板を湾曲させた曲面（指向特性が広角に拡がる湾曲スピーカ）、あるいは、任意の曲面を形成した面スピーカも可能である。具体的には、静電型スピーカや、圧電フィルムを用いたスピーカなどがある。
上述した側面部は、筐体の、屋根板部(天面)と底面とを除く、前部や背面部を含む。従って、面スピーカの種類として、大屋根スピーカ、屋根板(天板)スピーカ、背面スピーカ、前板スピーカ、側板スピーカ、そして底面スピーカがある。
【０００８】
面スピーカの音圧は、低音域が大きく減衰し、周波数が高くなるに従い音圧が大きくなるが、高音域は面積干渉により平坦な周波数特性を呈する。ここで、面スピーカの面積（振動板の面積）を広くするに従って、面積分だけ低音域の音圧が上がる。
電子鍵盤楽器は、鍵盤部の鍵配列方向の幅が長い。そのため、面スピーカの一辺が鍵配列方向に沿うように、面スピーカを配設すれば、面スピーカの面積を広くとることができる。また、アップライト型の電子鍵盤楽器は、演奏者の身長に見合う高さがある。そのため、面スピーカの一辺が筐体の高さ方向に沿うように、面スピーカを配設すれば、面スピーカの面積を広くとることができる。また、グランドピアノ型の電子鍵盤楽器は、奥行きが長い。そのため、面スピーカの一辺が筐体の奥行き方向に沿うように、面スピーカを配設すれば、面スピーカの面積を広くとることができる。
【０００９】
グランドピアノの大屋根板のような屋根板の裏面は、配設される面スピーカの面積を広くでき、面スピーカの面積を広くするに従って低音域の音圧が上がる。
また、面スピーカから出る平面波は鋭い指向性があるから、演奏者と聴取者ともに、聞こえがよい面スピーカの配置は、屋根板の裏面となる。
屋根板は楽器本体部の上部を開閉するため、屋根板の裏面に配設された面スピーカは、開閉に伴って楽器本体部に収納される。従って、不使用時の面スピーカは屋根板によって外界から保護される。
【００１０】
請求項２に記載の発明においては、請求項１に記載の電子鍵盤楽器において、前記面スピーカは、前記底面部（図１の３）にも配設され、前記底面部に配設された面スピーカは、内部空間と外界とを仕切る位置に配設され、当該面スピーカから出力された音が前記内部空間と前記外界との双方に伝搬する。
面スピーカの配設位置には、内部空間を外界から隔離する板材を備えず、面スピーカ自身が内部空間と外界とを仕切る。面スピーカの前面から出力される音に加えて、面スピーカの背面から出力される音が内部空間を伝搬し、面スピーカが配設されていない筐体部分を振動させて外界に音を放出させたり、筐体部分の一部に反射させて外界に音を放出させたり、内部空間が外界に解放されている開口部から外界に音を放出させたりする。
従って、電子鍵盤楽器の筐体全体から出力される音のレベルが大きくなる。
【００１４】
上述した各請求項の引用記載等において、「発明を特定するための事項」に付した括弧内の符号は、後述する「発明を実施するための形態」における、「発明を特定するための事項」に対応するものに付した符号である。この符号は、「発明を特定するための事項」とその一例との対応を示すにすぎない。「発明を特定するための事項」は、この符号により対応付けられた一例に限定されない。
【発明の効果】
【００１５】
上述した本発明によれば、指向性が鋭く、遠くまで伝搬する平面波を出力し、薄型で柔軟性のある面スピーカの特長を活かした電子鍵盤楽器が得られるという効果がある。
【図面の簡単な説明】
【００１６】
【図１】本願発明の実施の一形態であるグランドピアノ型電子鍵盤楽器の外観図である。
【図２】図１に示した面スピーカを大屋根板の裏面側から見た平面図である。
【図３】図２に示した切断線X-Xにおける大屋根板及び面スピーカの断面を、矢視X方向から見たときの断面図である。
【図４】図１に示した実施形態における面スピーカの一例である、柔軟性を有する静電型の面スピーカの構造図である。
【図５】図１に示した実施形態における面スピーカの他の例である、柔軟性を有する静電型の面スピーカを示す部分平面図である。
【図６】図１に示した実施形態における面スピーカのさらに他の例である、柔軟性を有する静電型の面スピーカを示す部分平面図である。
【図７】図１に示した実施形態における電子鍵盤楽器の機能ブロック図である。
【図８】本願発明の第２の実施形態であるアップライトピアノ型電子鍵盤楽器の外観図である。
【図９】図８に示した実施形態の部分断面図である。
【図１０】本願発明の第３の実施形態であるポータブルシンセサイザ型電子鍵盤楽器の外観図である。
【図１１】図１０に示した実施形態における面スピーカの取付構造を示す第１の説明図である。
【図１２】図１０に示した実施形態における面スピーカの取付構造を示す第２の説明図である。
【発明を実施するための形態】
【００１７】
図１は、本願発明の実施の一形態である、グランドピアノ型の電子鍵盤楽器の外観図である。
１は側面板（側面部）、２は屋根板（屋根部）、２ａは大屋根板、２ｂは前屋根板である。大屋根板２ａは、楽器本体部に対し、大屋根板２ａの左辺に沿った直線軸A-Aを中心に回動自在に取り付けられる。前屋根板２ｂは、大屋根板２ａに対し、その前辺に沿った直線軸B-Bを中心に回動自在に取り付けられる。
３は棚板（底面部）、４は鍵盤部（白鍵、黒鍵を区別した図を省略する）、５は鍵盤蓋、６は譜面板である。鍵盤蓋５が図示のように開かれた状態では、その後に前板部が隠れている。側面板（側面部）１は、この前板部を含む。側面板１と棚板３との継ぎ目は、側面板１と棚板３とに化粧板を貼り付ければ見えない。
側面板（側面部）１、屋根板（屋根部）２、棚板（底面部）３、鍵盤部４と、内部空間を有するものが楽器本体部である。
屋根板（屋根部）２は、この楽器本体部の上部分を開閉する。譜面板６は後方にスライドして折り畳める。
【００１８】
この実施の形態では、面スピーカ７が、大屋根板２ａ（屋根部）に配設される。面スピーカ７は、大屋根板２ａに対し移動自在に連結され、大屋根板２ａに配設された面スピーカ７と大屋根板２ａとの対向間隔dは、大屋根板２ａが内蓋板（楽器本体部の上部分）８を閉じているとき（d＝dc）に比べて内蓋板８を開いているとき（d＝do）の方が拡がるようにしたものである。
【００１９】
面スピーカ７は、前面からだけではなく、背面からも音を出力する。面スピーカ７は、背面の空気層の空気バネと振動板とが共振し、共振周波数より低い周波数では音圧が低下する。ここで、共振周波数は、背面の空気層が薄いほど高くなる。
そのため、大屋根板２ａを開いて演奏するときには、面スピーカ７の背面に十分な厚さの空気層が形成されている必要がある（例えば、数cm）。また、対向間隔dが広がっていると、面スピーカ７の背面から出力される音の一部は、面スピーカ７の背面と大屋根板２ａとの隙間からも外界に放出される。従って、大屋根板２ａが開いているときに、対向間隔が広がるので、音響発生効率が良くなるとともに、音の広がりも期待できる。
一方、大屋根板２ａを閉じている（屋根板倒設）ときに、対向間隔dが狭まることにより、楽器本体部の収納効率を上げることができる。よって、側面板１の高さHH（図１参照）を小さく押さえられる。
【００２０】
以下、具体構成を説明する。
面スピーカ７は、大屋根板２ａの裏面に、この裏面に沿って平行に配設され、大屋根板２ａの回動により楽器本体部の上部分が開かれたときに外界に露出する。
図示の例では、大屋根板２ａが開かれた状態において、楽器本体部の内蓋板８が露出する。この内蓋板８と側面部１とにより、面スピーカ７を収容する収容部９が構成される。
１０は突上棒であり、突上棒下部１０ａの根元が内蓋板８の縁部に回動自在に支持される。突上棒１０は、内蓋板８から取り外すこともできる。
【００２１】
ユーザは、突上棒上部１０ｂの先端１０ｃを、大屋根板２ａの裏側にある当接部２ｃに当接させて、大屋根板２ａを支持する。突上棒下部１０ａと突上棒上部１０ｂとは、突上棒下部１０ａの上端部１０ｄにおいて伸縮自在とされ、ストッパ軸SJによって、突上棒上部１０ｂのストッパ孔SH1，SH2，SH3のいずれかに嵌合保持される。図示は、ストッパ軸SJに対してストッパ孔SH1（突上棒下部１０ａに隠れて見えない）が対応している。ストッパ軸SJにストッパ孔SH3を対応させれば、突上棒１０が短くなって、これを収容部９に収容できる。
１１はペダルユニットであり、３本のペダル１１ａがペダル箱１１ｂに収容され、このペダル箱１１ｂがペダル脚１１ｃにより棚板３に取り付けられている。１２は３本の脚柱であり、その下端にキャスタ１３があり、脚柱１２の上端は棚板３に取り付けられる。
【００２２】
楽器本体部は、鍵盤部４に対するユーザの鍵操作により楽音信号を生成する楽音信号生成部を内蔵する。面スピーカ７は、楽音信号生成部が出力する楽音信号に応じた音を出力する。
面スピーカ７は、また、側面板（側面部）１、棚板（底面部）３に配設されてもよく、複数の箇所に配設されてもよい。
例えば、棚板３における、特に、図１の鍵盤部４の下面に対応した特定の部位に多数の透孔（音孔）を開ける。網状保護板を介して、あるいは介さずに、これらの透孔に対向して、面スピーカをこの棚板３の特定の部位に貼着などにより配設してもよい。
このようにすると、面スピーカから上向きには、鍵盤を僅かに振動させることができるとともに、鍵と鍵との間から楽音が漏れ聞こえる効果を出すことができる。同時に、面スピーカから床面に向かっても楽音が発せられる。従って、直接音と床面からの反射音とを体感できる効果がある。
また、面スピーカではない、1又は複数個の従来のダイナミック型（動電型）コーンスピーカが、例えば、低域再生用に併設されてもよい。これらは、内蓋板８に音孔を開け、そのコーン部を開放して設けられてもよいし、棚板３の下面に音孔を開け、そのコーン部を開放して設けられてもよい。
【００２３】
図２は、図１に示した面スピーカ７を大屋根板２ａの裏面側から見た平面図である。図２（ａ）は大屋根板２ａが閉じている状態であり、図２（ｂ）は開いている状態である。
図３は、図２に示した切断線X-Xにおける大屋根板２ａ及び面スピーカ７の断面を、図２の矢視X方向から見たときの断面図である。前屋根板２ｂの図示は省略する。面スピーカ７は、その内部構造を省略し、平板として図示する。面スピーカ７は、蝶番２１を軸A−A（図１）として、大屋根板２ａが垂直に立ち上がっていると仮定したときの状態を示す。大屋根板２ａが閉じた状態の面スピーカ７は一点鎖線で示す。
【００２４】
図２に示されるように、この実施形態の面スピーカ７は、その背面において大屋根板（屋根板）２ａの裏面側に対し、４箇所のリンク機構１４ａ〜１４ｄ（面スピーカ７に隠れている）により連結される。このリンク機構１４ａ〜１４ｄにより大屋根板２ａに配設された面スピーカ７が大屋根板２ａに対し平行移動し、面スピーカ７と大屋根板２ａとの対向間隔dを拡げたり狭めたりすることができる。
【００２５】
図３に示すように、大屋根板２ａの裏面には、リンク１５を収容するための凹部１６を有する。一方、面スピーカ７においても、その背面にリンク１５を収容するための凹部２２を有する。
凹部１６，２２には、それぞれ、軸２３，２４が設けられ、これらにリンク１５の軸受１５ａ，１５ｂが挿通されることにより、リンク１５が、大屋根板２ａと面スピーカ７とを連結する。
【００２６】
大屋根板２ａが開いている状態で、面スピーカ７は、その凹部２２の面２２ａ（このとき、水平状態となっている）が、自重によりリンク１５に支持される。特に、軸２４及び角位置Q1，Q2（軸２４と面２２ａとの間の距離が一番長い位置）が支持に寄与する。
一方、リンク１５は、面スピーカ７とリンク１５自体との自重により大屋根板２ａの凹部１６の面１６ａ（このとき、水平状態となっている）に支持される。特に、軸２３及び角位置P1，P2（軸２３と面１６ａとの間の距離が一番長い位置）が支持に寄与する。
従って、大屋根板２ａが内蓋板（楽器本体部の上部分）８を開くとき、面スピーカ７と大屋根板２ａとが離間され、面スピーカ７と大屋根板２ａとの対向間隔は、面スピーカ７の自重により拡がり、最大d＝doになる。
対向間隔d＝doは5［cm］以上にすることが、面スピーカの振動板と空気層とによる共振周波数を低い方にシフトさせ、低音域の音圧の低下を防ぐ上で好ましい。
面スピーカ７の背面から出力された音の一部は、この離間部から放出され、面スピーカ７の前面から出力された音とともに、外界に伝搬する。
【００２７】
一方、大屋根板（屋根板）２ａが内蓋板（楽器本体部の上部分）８を閉じるとき、大屋根板２ａに配設された面スピーカ７の角部２５が内蓋板８に当接する（面スピーカが楽器本体部の内部に設けられた係止部材に当接する）ことで、図示一点鎖線のように、面スピーカ７と大屋根板２ａとが接近し、両者の対向間隔が狭まる（d＝dc）。
このとき、面スピーカ７の凹部２２の傾斜面と大屋根板２ａの凹部１６の傾斜面とにリンク１５の周面が当接することにより、リンク１５が凹部１６，２２に収容される。対向間隔dcは0［cm］でもよいし、1[cm]程度の隙間が残ってもよい。
内蓋板（係止部材）８において、面スピーカ７の角部２５が当接する領域に滑性部材を貼着するとよい。また、この領域に緩衝部材を貼着することにより、当接の衝撃を和らげるようにしてもよい。なお、突上棒１０の収容場所の図示を省略した。
面スピーカ７と大屋根板２ａとの対向間隔dが、面スピーカ７の自重で広がったり狭まったりすることから、対向間隔dを変更するための駆動機構が不要となる。
【００２８】
図４は、図１に示した実施形態における面スピーカ７の一例である、柔軟性を有する面スピーカ３０の構造図である。
図４（ａ）は面スピーカ３０の積層構造を開いて見せた模式図、図４（ｂ）は面スピーカ３０の部分平面図、図４（ｃ）は面スピーカ３０の部分断面図、図４（ｄ）は面スピーカ３０の他の例を示す部分断面図である。
【００２９】
まず、積層構造の主要部を説明する。
図４（ａ）〜図４（ｃ）において、音響透過性を有する第１の固定電極シート３２と音響透過性を有する第２の固定電極シート３６との間に、音響透過性を有する第1の絶縁性シート３３と音響透過性を有する第２の絶縁性シート３５とを介して、特に薄くて柔軟性を有する振動電極シート３４が積層配置されている。
第１の絶縁性シート３３、第２の絶縁性シート３５は、薄くて柔軟性がある緩衝材（クッション材）である。また、上述した第１の固定電極シート３２、第２の固定電極シート３６も、薄くて柔軟性がある。
振動電極シート３４の前面から出力された音は、第1の絶縁性シート３３、第１の固定電極シート３２を透過し、この静電型スピーカの前面から放出されるとともに、振動電極シート３４の背面から出力された音は、第２の絶縁性シート３５、第２の固定電極シート３６を透過し、この静電型スピーカの背面から放出される。
【００３０】
３１は音響透過性を有する第３の絶縁性シート、３７は音響透過性を有する第４の絶縁性シートであって、これらは、静電型スピーカの背面を保護したり防水したりするとともに、感電を防止するためのカバーでもある。これらも柔軟性がある。
従って、この面スピーカ３０は、全体としても、柔軟性のある薄型フレキシブル（flexible）静電型スピーカである。
上述した振動電極シート３４を除き、他の第１の固定電極シート３２、第２の固定電極シート３６、第1の絶縁性シート３３、第２の絶縁性シート３５、第３の絶縁性シート、第４の絶縁性シート３７は、通気性を有している。なお、第３の絶縁性シート３１、第４の絶縁性シート３７は、省略可能である。
【００３１】
３８ａ〜３８ｅ，３９ａ〜３９ｅは、振動電極シート３４を、第1の絶縁性シート３３、第２の絶縁性シート３５により、部分的に支持するための接着層であって、その幅は狭く、例えば、4〜10［mm］であり、柔軟性があり、その厚みは薄く、例えば、0.1〜0.5［mm］である。図示の例において接着層はテープ状であり、具体的には両面接着テープを使用している。
振動電極シート３４は、接着層３８ａ〜３８ｅ，３９ａ〜３９ｅにより間隔をあけて支持される。
この接着層３８ａ〜３８ｅ，３９ａ〜３９ｅにより、振動電極シート３４は、接着層３８ａ〜３８ｅ，３９ａ〜３９ｅのない領域で、振動電極シート３４に対し、第1の絶縁性シート３３との間、及び、第２の絶縁性シート３５との間が僅かに離間して支持される。
【００３２】
振動電極シート３４、第1の絶縁性シート３３、第２の絶縁性シート３５は柔軟性を有するため、接触していても問題ない。第1の絶縁性シート３３、第２の絶縁性シート３５は、振動電極シート３４を支持するとともに、振動電極シート３４に適度な弾性応力を付与する。
接着層３８ａ〜３８ｅ，３９ａ〜３９ｅは、静電型の面スピーカにとって必須のものではない。しかし、振動電極シート３４は、緩衝作用のある第1の絶縁性シート３３、第２の絶縁性シート３５との間で相互作用を及ぼし合いながら、これらと一体となって振動する。
従って、接着層３８，３９は、スペーサというよりも、振動電極シート３４と第1の絶縁性シート３３、第２の絶縁性シート３５との相互作用を安定させる機能がある。接着層３８，３９は、また、面スピーカ３０の全体を折り曲げたときに、多層状に形成された積層シートの各層が破損しないようにしたり、ずれて皺ができないようにしたりする役目を果たす。
【００３３】
図４（ｃ）において、振動電極シート３４は、接着層３８ａ〜３８ｅにより、第1の絶縁性シート３３に等間隔の第１の支持位置で支持されるとともに、接着層３９ａ〜３９ｅにより、第２の絶縁性シート３５に同じ第１の支持位置で支持される。第１の支持位置の間隔は、1［cm］〜10［cm］とし、試作品では3.6［cm］とした。
図４（ｄ）において、振動電極シート３４は、接着層３８ｆ，３８ｇにより、第１の絶縁性シート３３に等間隔の第１の支持位置で支持されるとともに、接着層３９ｆ，３９ｇにより、第２の絶縁性シート３５に等間隔の第２の支持位置で支持される。第１の支持位置と第２の第１の支持位置とは交互に配置されるので、振動電極シート３４は、交互に支持される。
【００３４】
なお、図４（ｂ），図４（ｃ）に示したように、面スピーカ３０の端部（図示右端部）は、接着層３８ｅ，３９ｅ，３８ｈ，３９ｈで支持することが好ましい。面スピーカ３０の周縁部において、各シートの層間を、接着層３８ｅ，３９ｅ，３８ｈ，３９ｈと同様な接着層（両面接着テープ）で相互に接着したり、接着剤を塗布したりして、層が離れないようにする。面スピーカ３０の周縁部は、縫合したり、合成樹脂でまとめたり、図示しない枠体に取り付けられたりする。
【００３５】
上述した振動電極シート３４は、例えば、ポリエチレンテレフタレート（PET）又はポリプロピレン（PP）等の、合成樹脂薄膜の両面又は片面に、アルミニウム等の導電性を有する金属を蒸着したり、導電性塗料を塗布したりしたものであり、その厚さは数［μm］〜数十［μm］である。
上述した第１の固定電極シート３２、第２の固定電極シート３６は、ポリエチレンテレフタレートの片面又は両面に、アルミニウム等の導電性を有する金属を蒸着したり、導電性塗料を塗布したりして、その厚みを貫通する多数の貫通孔３２ａ，３６ａが形成されたパンチングメタルである。この試作品では、厚さが0.5［mm］である。
第１の固定電極シート３２、第２の固定電極シート３６は、パンチングメタルに代えて、金網を用いてもよいし、不織布にアルミニウム蒸着をしたものを用いてもよい。後者の場合、第１の絶縁性シート３１と第１の固定電極シート３２とを一体化し、第４の絶縁性シート３７と第２の固定電極シート３６とを一体化することができる。
上述した第1の絶縁性シート３３、第２の絶縁性シート３５は、例えば、発泡合成樹脂や不織布である。
【００３６】
図５は、図１に示した実施形態における面スピーカ７の他の例である、柔軟性を有する静電型の面スピーカ４０を示す部分平面図である。
先の図４においては、接着層３８ａ〜３８ｅ，３９ａ〜３９ｅを図示縦方向に並べて互いに平行配置していた。図５においては、加えて、接着層４１ａ，４１ｂ，４１ｃを、図示横方向に並べて互いに平行配置したものである。
図示の接着層４１ａ，４１ｂは、接着層３８ａ〜３８ｄ，３９ａ〜３９ｄと同じ間隔で配置されている。
上述した縦方向、横方向に配置する２種の接着層に代えて、１枚の格子状接着層を用いれば、接着層の厚みが均一になる。
この面スピーカ４０の積層断面構造は、接着層の配置を除けば図４（ｃ）、図４（ｄ）と同じであるので図示を省略する。
【００３７】
図４、図５に示した例では、接着層３８ａ〜３８ｈ，…、４１ａ，４１ｂ，４１ｃ，…により、振動電極シート３４と第1の絶縁性シート３３、振動電極シート３４と第２の絶縁性シート３５が接着されていた。
これらに加えて、第３の絶縁性シート３１と第１の固定電極シート３２との層間、第１の固定電極シート３２と第1の絶縁性シート３３との層間、第２の絶縁性シート３５と第２の固定電極シート３６との層間、第２の固定電極シート３６と第４の絶縁性シート３７との層間のうち、任意の層間を、図示しない接着層（両面接着テープ）で接着してもよい。特に、面スピーカ４０の周縁部においては、全ての層間を接着層（両面接着テープ）で接着してもよい。
【００３８】
このようにすることにより、積層体としての一体性が増し、層間に隙間ができたり、層間がずれたりしない。図示しない両面接着テープによる接着位置は、図４（ｃ），図４（ｄ）、図５に示す接着層３８ａ〜３８ｈ，…、４１ａ，４１ｂ，４１ｃ，…の支持位置と一致させることが、音響透過率を下げないようにする点で望ましい。
しかし、層間によって、接着位置を異ならせてもよい。また、層間によって、縦方向に並べる１次元平行配置と、これに直交する横方向に並べる１次元平行配置の選択を変えたりすることができる。
【００３９】
図６は、図１に示した実施形態における面スピーカ７のさらに他の例である、柔軟性を有する静電型の面スピーカ５０Ａ，５０Ｂを示す部分平面図である。
この具体例は、図４に示した積層断面構造を有した面スピーカ３０を1ユニットとし、複数のユニットを、間隔をあけて配置したものを、１つの面スピーカ５０Ａ又は５０Ｂとして形成したものである。
図６（ａ）においては、複数の面スピーカユニットを１次元配置し、図６（ｂ）においては、複数の面スピーカユニットを２次元配置（縦横方向）している。
【００４０】
図６（ａ）において、静電型の面スピーカユニット５１1〜５１5は、図４（ｃ）又は図４（ｄ）に示した積層断面構造を有し、面スピーカ５０Ａの振動面となる。これに対し、スピーカユニットの連接部５２の領域においては、図４（ｃ）又は図４（ｄ）に示した導電層（第１の固定電極シート３２、振動電極シート３４、第２の固定電極シート３６）がなく、絶縁層（第３の絶縁性シート３１、第1の絶縁性シート３３、第２の絶縁性シート３５、第４の絶縁性シート３７）のみを残しており、これらが連接部５２を構成する。
【００４１】
連接部５２の領域においては、さらに、第1の絶縁性シート３３、第２の絶縁性シート３５をなくしてもよい。この場合、まず、各面スピーカユニット５１1〜５１5として、それぞれ、第１の固定電極シート３２、第1の絶縁性シート３３、振動電極シート３４、第２の絶縁性シート３５、第２の固定電極シート３６、及び、接着層３８ａ〜３８ｄ，…、４１ａ，４１ｂ，…の積層構造を予め作成しておき、これらの面スピーカユニット５１1〜５１5の上面と下面とを、第３の絶縁性シート３１、第４の絶縁性シート３７で覆うことにより、面スピーカ７を形成することができる。この場合、第３の絶縁性シート３１、第４の絶縁性シート３７が連接部５２を構成する。
【００４２】
図６（ｂ）において、各面スピーカユニット５３1〜５３4は、図６（ａ）に示した面スピーカユニット５１1〜５１5と同様の積層構造を有し、面スピーカ５０Ｂの振動面となる。
この具体例では、面スピーカユニット５３1〜５３4は、横方向が連接部５４ａにより連接され、縦方向が連接部５４ｂにより連接されている。さらに、静電型スピーカユニット５３1〜５３4の周縁部５４ｃも、図示しない枠体を取り付ける領域とするために、連接部５４ａ，５４ｂと同じく、導電層のない積層構造にしている。
【００４３】
上述した図６（ａ）の面スピーカユニット５１1〜５１5、図６（ｂ）の面スピーカユニット５３1〜５３4は、各ユニットの各電極にリード線を接続し、これらのリード線をユニット毎に独立して駆動回路に接続する。又は、連接部５２、５４ａ，５４ｂにおいて、隣接するユニットの対応する電極同士を短いリード線でつなぎ、各ユニットの各電極を共通のリード線で駆動回路に接続してもよい。
【００４４】
図７は、図１に示した実施形態における電子鍵盤楽器の機能ブロック図である。
図1に示した鍵盤部４における各白鍵，黒鍵の操作、ペダル１１ａの操作は、検出部６１により検出され、検出信号が制御部６２に出力される。制御部６２は、演奏データを音源部６３に出力する。この演奏データには、押鍵及び離鍵のタイミング、押鍵又は離鍵された鍵に対応するノートナンバ（音高）、ベロシティ（押鍵速度）、アフタタッチ量等のデータが含まれている。また、操作されたペダル１１ａの種別、操作量のデータも出力される。上述した制御部６２は、機器組み込みプログラムをCPUに実行させることにより実現される。
【００４５】
図１に示した電子鍵盤楽器では図示を省略したが、棚板３の底面において、鍵盤部４の下に位置する一部の場所に引出式の操作パネル部が設置され、その上面に複数の操作子（ボタン）６４が配置されている。操作子６４としては、例えば、楽器音色等の設定操作用スイッチや、自動演奏のための選曲、再生開始や再生停止等を制御するスイッチがある。
操作子６４の操作は、検出部６１により検出され、制御部６２に出力され、制御部６２では、各操作子６４に割り付けられた機能を、電子鍵盤楽器に設定する。音源部６３に対する設定の場合は、音源部６３に音源設定データを出力する。
【００４６】
上述した操作パネル部には、自動演奏部６５と曲データ記憶部６６が内蔵されている。自動演奏部６５は、操作子６４の操作により、曲データ記憶部６６に記憶された曲を読出し、MIDI形式の演奏データを制御部６２に出力する。上述した自動演奏部６５も、機器組み込みプログラムをCPUに実行させることにより実現される。
MIDIインタフェース６７は、パーソナルコンピュータや他の電子楽器から供給されるMIDI形式の演奏データを、例えば、棚板３の後部下面に設けられた端子から入力し、制御部６２に出力する。
【００４７】
音源部６３は、制御部６２から入力された演奏データに応じて、音色等の音源設定や、押鍵操作に応じた音高と強さのステレオ（L，Rの2チャンネル）の楽音信号を生成し、増幅器６８L，６８R，７０L，７０R、及び、混合部（ミキサー）７２に出力する。図示の音源部６３は、１つの楽音の発生用に、ステレオ用の左ソース、右ソースを使用する。これらの音源ソースは、図示しない音源波形メモリに記憶されている。
また、音源部６３は、モノラルソースを使用するとし、操作された鍵の帯域等に応じて、左右の音量比を制御（音像定位制御）するものでもよい。
【００４８】
増幅器６８L，６８Rの出力は、それぞれ、ヘッドフォン用の外部端子６９L，６９Rに出力される。増幅器７０Lの出力はダイナミック型コーンスピーカ７１Lに出力され、増幅器７０Rの出力はダイナミック型コーンスピーカ７１Rに出力される。以下、ダイナミック型コーンスピーカを、単に「コーンスピーカ」という。
図１において、コーンスピーカ７１L，７１Rは、内蓋板８、棚板３、鍵盤蓋５に隠れている前板部に設けることができる。
混合部７２は、音源部６３のステレオ出力を混合し、増幅器７３に出力する。増幅器７３の出力は、昇圧トランス７４の１次コイルに出力される。昇圧トランス７４の２次コイルには、図1に示した面スピーカ７の一例としての柔軟性を有する静電型スピーカが接続される。昇圧トランス７４の２次コイルは、中点タップCTを有し、中点タップCTには、高圧のバイアス直流電源７５と高抵抗の抵抗器７６との直列回路が接続されている。上述した２次コイルの両端が端子７７，７８、抵抗器７６の他端が端子７９となる。
【００４９】
端子７７は、図４（ｃ），図４（ｄ）に示した第１の固定電極シート３２に接続され、端子７８は、第２の固定電極シート３６に接続され、端子７９は、振動電極シート３４に接続される。
振動電極シート３４を電位の基準にとって説明する。バイアス直流電源７５により、第１の固定電極シート３２及び第２の固定電極シート３６は、E0＝数百［V］の負に帯電し、振動電極シート３４と第１の固定電極シート３２との間、及び、振動電極シート３４と第２の固定電極シート３６との間に、互いに逆方向の静電吸引力が発生する。
【００５０】
この状態で、第１の固定電極シート３２及び第１の固定電極シート３６に、逆位相の楽音信号±e［V］（eはE0より十分に小さい値）が印加されると、第１の固定電極シート３２及び第２の固定電極シート３６は、それぞれ、（E0＋e）［V］、（E0−e）［V］で負に帯電する。その結果、振動電極シート３４と第１の固定電極シート３２との電極間、及び、振動電極シート３４と第２の固定電極シート３６との間の静電吸引力のバランスがくずれ、結果として、楽音信号e［V］に比例した静電吸引力が発生し、振動電極シート３４は、楽音信号e［V］の正負に応じてプッシュプル駆動される。
【００５１】
上述した説明では、増幅器７０L，７０Rの出力を直接にコーンスピーカ７１L，７１Rへ出力していた。コーンスピーカ７１L，７１Rは、面スピーカ７の低い周波数側の音圧低下を補うために用いる。そのため、通常は、ウーファスピーカと呼ばれるものを使用する。そこで、コーンスピーカ７１L，７１Rの周波数特性に応じた楽音信号を供給するために、低域通過型フィルタ回路を、増幅器７０L，７０Rの入力側又は出力側に挿入することが望ましい。
同様に、増幅器７３の入力側又は出力側に、静電型スピーカの周波数特性に応じた楽音信号を昇圧トランス７４に供給するための高域、又は、中高域通過型フィルタ回路を挿入してもよい。
上述したフィルタ回路の特性は、コーンスピーカ７１L，７１Rから出力される音と面スピーカ７から出力される音とが、周波数特性上においてバランスするように設計する。
【００５２】
さらにまた、高域再生用のツィータスピーカ（例えば、ドーム型ダイナミックスピーカ）を設け、増幅器７０L，７０Rはツィータスピーカにも楽音信号を分配してもよい。面スピーカ（静電型スピーカ）７とツィータスピーカとを選択的に切替えて使用するためのスイッチを設けてもよい。
図示を省略したが、音源部６３に、図１に示した面スピーカ７に専用のソースが用意されていてもよい。この場合、この専用のソースに基づく楽音信号を、増幅器７３で増幅し、昇圧トランス７４に供給する。
【００５３】
図８は、本願発明の第２の実施形態であるアップライトピアノ型電子鍵盤楽器の外観図である。
図中、演奏者から見て左側において、８１は脇側面板（側面部）、８２は側面板（側面部）、８３は側面蓋（側面部）、８４は前脚、８５は前脚８４と側面板８２とを接続するステーである。同様の構造が図示右側にもあり、同じ符号を付している。
左右の脇側面板８１の間に、鍵盤部が配置されているが、鍵盤蓋８６が閉じているので見えない。図示の鍵盤蓋８６は２枚折れタイプである。演奏時に、鍵盤蓋８６は後述する上前板８８の下部から楽器本体部の奥に収納される。
【００５４】
鍵盤部の演奏者側の前面は口棒８７であり、鍵盤部の底面は、図示されない棚板である。鍵盤部の奥行き側の上部は上前板８８であり、その中央に譜面受８９が設けられている。上前板８８、左右の側面板８２、及び、背面板９０（図９参照）の上部に天板９１が掛け渡され、その中央に譜面板９２（図示の状態は倒れた状態）が設けられている。
足下にペダルユニット９３が設けられ、その中央にペダル９３ａが収容され突出している。ペダルユニット９３から、この上の棚板までに、下前板９４が設けられている。下前板９４の表面には、音を透過させる部材として、図９に示すように、ネット１０３が張られている。
【００５５】
上述した脇側面板８１、側面板８２、側面蓋８３、天板９１、棚板（底面部）、鍵盤部、上前板８８、下前板９４、背面板９０、ペダルユニット９３と内部空間を有するものが楽器本体部である。
楽器本体部は、鍵盤部４に対するユーザの鍵操作により楽音信号を生成する楽音信号生成部を内蔵する。
【００５６】
この実施の形態の面スピーカ９５は、図９に示されるように、楽器本体部の一部に配設され、上述した楽音信号生成部から出力される楽音信号に応じた音を出力する。
面スピーカ９５は、これを外界に対し開閉可能にする側面蓋（蓋体）８３とともに、左又は右の側面板（左側面部又は右側面部）８２の少なくとも一方（通常は双方である）に配設されている。側面蓋（蓋体）８３は、面スピーカ９５が配設された側面板８２を外界に対し開閉可能にする。
【００５７】
側面板８２は、楽器本体部の内部空間を囲む板材であり、この側面板８２の四囲を面スピーカ取付枠とする。この面スピーカ取付枠において、下前板９４に接する辺を枠体部８２ｄ、背面板９０に接する辺を枠体部８２ｅとして異なる符号を付している。この面スピーカ取付枠（枠体部８２ｄ，枠体部８２ｅ）に面スピーカ９５が配設される。
面スピーカ９５は、その一辺が側面板８２の高さ方向に沿うように配設されている。側面板８２は演奏者の身長に見合う高さがある。そのため、面スピーカ９５の面積を広くとることができ、面積分だけ低音域の音圧を上げることができる。
【００５８】
面スピーカは、上前板８８、棚板（底面部）に配設されてもよく、また、背面板９０に配設されてもよいし、複数の箇所に配設されてもよい。
また、コーンスピーカ９７，９８が上前板８８に併設されている。上前板８８の表面には、少なくともコーンスピーカ９７，９８の前面開口部に、内部空間を保護するが音は透過させるパンチングメタル、ネット、又はスピーカグリルが設けられる（図示省略）。
【００５９】
左右に面スピーカ９５が配設される場合、それぞれに、同じモノラルの出力信号を供給することに代えて、ステレオの左チャンネル、右チャンネルの出力信号を供給することができる。この場合、図７に示した機能ブロック図においては、混合部７２を用いないで、音源部６３の左チャンネル、右チャンネルの出力信号をそれぞれの増幅器で増幅し、それぞれの昇圧トランスで昇圧すればよい。
上述したコーンスピーカ９７，９８は、それぞれ、コーンスピーカ７１L、７１Rに対応する。コーンスピーカ７１Lと左の面スピーカ９５とで、増幅器７０Lを共用し、コーンスピーカ７１Rと右の面スピーカ９５についても同様に、増幅器７０Rを共用してもよい。
【００６０】
面スピーカ９５は、後述するように、楽器本体部内の内部空間と外界とを仕切る位置に配設されている。面スピーカ９５の前面から出力された音は外界に伝搬し、面スピーカ９５の背面から出力された音は、楽器本体部の内部空間、図９に示した例では、音響伝搬空間１０２に伝搬する。
音響伝搬空間１０２を伝搬した音は、筐体を振動させたり、内部空間から外界に開放されている音孔から外界に伝搬したりする。
側面蓋（蓋体）８３を閉じると、面スピーカ９５の前面から直接に外界に伝搬する音が遮断される。
【００６１】
図９を参照して、側面板８２について説明する。
図９は、図８に示した実施形態の部分断面図である。図９（ａ）は、側面板８２、側面蓋８３、下前板８７、背面板９０等をX-Xで示す切断線で矢視X方向を見たときの部分断面図である。図９（ｂ）は、解除ボタン９６の近傍の拡大断面図である。
側面板８２における上述した面スピーカ取付枠（枠体部８２ｄ，枠体部８２ｅ）に囲まれた内側に、凹部８２ｂが形成されている。面スピーカ９５は、凹部８２ｂを外界から覆うようにして側面板８２の面スピーカ取付枠（枠体部８２ｄ，枠体部８２ｅ）の表面（外界に面する側）に配設されている。
従って、側面蓋（蓋体）８３を開いた状態で、面スピーカ９５から音を放出する場合、凹部８２ｂは、面スピーカ９５の背面側の空気層として作用する。
面スピーカ９５の背面と凹部８２ｂの底面とが、空気層を介して対向配置されることにより、空気層が存在しない場合に比べて、面スピーカの振動板と空気層とによる共振周波数が低い方にシフトする。
【００６２】
この凹部８２ｂは、図示のように、凹部８２ｂの底面に形成された多数の透孔（音孔）８２ｃにより音響伝搬空間１０２に連通しているため、実質的に空気層の厚みが増すことになり、共振周波数がさらに低くなる。
なお、面スピーカ９５の背面から出力された音を楽器本体部の内部空間に伝搬させる必要がない場合、透孔（音孔）８２ｃは不要である。
【００６３】
次に、側面蓋８３の構造を、図８と図９を参照して説明する。
側面蓋８３は、背面板９０に隣接する側面板８２の一辺において、図９（ａ）に示す蝶番１０４により、直線軸C-Cを中心に回動自在に取り付けられる。側面蓋（蓋体）８３は、直線を軸として回転することにより面スピーカ９５が配設された側面板８２（左側面部又は右側面部）を外界に対し開閉可能にする。面スピーカ９５は、側面蓋８３が開かれたときに外界に露出する。図８の一点鎖線で示す側面蓋８３は、直角に開かれた状態を示している。
なお、上述した側面蓋（蓋体）８３は、対応する側面板８２の形状に合わせて平板（直方体）である。しかし、三角形以上の多角形の平面を備える多角形平板、半円板の形状であってもよい。側面蓋（蓋体）８３の回転軸は、多角形平板、半円板の一辺であって、例えば、側面部と多角形面、半円面とが接する辺である。
【００６４】
８２ａ，８３ａは、側面蓋８３を開閉する際に、演奏者が指先をかけるための取っ手凹部である。９６は解除ボタンである。
図９（ｂ）に示す、側面蓋８３が閉じられた状態において、側面板８２の枠体部８３ｃの裏面に形成された係合突起（弾性変形部８３ｅ、係合部８３ｆ）の係合部８３ｆが、側面板８２の係着部８２ｇの角部に係合することにより、係合状態が維持される。
側面板８２の枠体部８２ｄには、貫通孔８２ｆが形成され、この貫通孔８２ｆは、段差面を有し、側面板８２の背面側が広くなっており、この段差面が上述した係着部８２ｇを形成する。
【００６５】
また、貫通孔８２ｈは、枠体部８２ｄの前方側（演奏者側）に形成され、上述した段差面と平行である。貫通孔８２ｈには解除ボタン９６が嵌め込まれている。貫通孔８２ｈは、前方側に広く形成され、ここに復帰バネ１０５がある。
解除ボタン９６の摘み部９６ａを押圧すると、作動子９６ｂが、係合部８３ｆを押圧するので、係合部８３ｆと係着部８２ｇとの係合が外れる。そのため、演奏者が取っ手凹部８３ａに指を掛けて、側面蓋８３を開くことができる。摘み部９６ａの押圧を止めると、復帰バネ１０５により作動子９６ｂが復帰する。その結果、再び、側面蓋８３を閉じたときに、係合部８３ｆと係着部８２ｇとが係合し、閉じた状態を維持する。
【００６６】
図８、図９（ａ）、図９（ｂ）のいずれにも示されるように、側面蓋８３の裏面部には、凹部８３ｂが形成され、その周囲が枠体部８３ｃとなる。
ここで、側面蓋８３の枠体部８３ｃにおける四囲の側面の内、少なくとも一側面（図８、図９（ｂ）の８３１）に、多数の透孔（音孔）８３ｄが設けられてもよい。これらの透孔８３ｄは凹部８３ｂから上述した側面８３１までを貫通することにより、凹部８３ｂから外界に抜ける音孔となる。
【００６７】
次に、図９（ａ）を参照し、面スピーカ９５の背面から出力された音が電子楽器本体部の内部空間を伝搬する経路を説明する。
面スピーカ９５は、透孔（音孔）８２ｃが存在することにより、電子楽器本体部の内部空間と外界とを仕切る位置に配設されていることになる。面スピーカ９５の背面から出力された音は、音響伝搬空間１０２に伝搬する。なお、多数の透孔８２ｃを１つの大きな透孔にし、側面板８２を単なる枠体部としてもよい。
【００６８】
前記面スピーカ９５が配設された左側面部及び又は右側面部８２は、音響伝搬空間（楽器本体部の内部空間）１０２に開口し、音響伝搬空間１０２は、音響反射板１０１を有している。この音響反射板１０１は、面スピーカ９５の面に対し斜めに配設されてもよい。
従って、左側面部及び又は右側面部８２において、電子鍵盤楽器の側面から放出される音に加えて、面スピーカ９５から出力された音が音響伝搬空間１０２を伝搬し、音響反射板１０１で反射し、電子楽器本体部の筐体を振動させて外界に音を２次放出させたり、音響伝搬空間（内部空間）１０２が外界に解放されている箇所から外界に音を放出させたりする。従って、電子鍵盤楽器の筐体全体から出力される音のレベルが大きくなる。
【００６９】
音響伝搬空間１０２と音響反射板１０１を、より具体的に説明する。
背面板９０と下前板９４との間の電子楽器本体部の内部空間において、側面板８２に配設された面スピーカ９５の面に対し、図示のものでは、前方斜め方向（面スピーカ９５と音響反射板１０１とのなす角度が0度を超え、90度未満）に傾けて取り付けられている。音響反射板１０１は、下前板９４、側面板８２とともに、内部空間の一部に音響伝搬空間１０２を形成する。
【００７０】
この音響反射板１０１は、側面板８２に配置された面スピーカ９５から出力される音を反射させることにより、音の伝搬方向を左の方向から前方の方向に変更させる。下前板９４には、複数の透孔（音孔）９４ａが設けられ、これらの透孔９４ａを介して前面に音を放出する。１０３はネットであって、下前板９４の前面を覆い、音は透過させるが、異物が音響伝搬空間１０２に侵入しないようにする。
【００７１】
図９（ａ）は、鍵盤部の棚板より下の水平断面図であった。これに対し、鍵盤部の棚板より上の内部空間は、鍵盤蓋８６を収納する機構部品や、電子回路ブロック等が設置されているが、音響伝搬空間とし、上前板８８等から外界に音を放出することも可能である。しかし、図示の音響反射板１０１を棚板よりも上に延長することはむずかしい。
そのため、側面板８２は、鍵盤部の棚板より上においては、透孔８２ｃを設けないようにして、内部空間への伝搬路をなくしてもよい。しかし、凹部８２ｂについては、鍵盤部の棚板より下から連続して棚板より上にも形成しておくことが望ましい。
【００７２】
面スピーカ９５が配設された左側面部及び又は右側面部８２において、側面蓋８３を閉じた状態で面スピーカ９５を動作させてもよい。
この場合、面スピーカ９５は音響伝搬空間（内部空間）１０２に音を放出する。その際、面スピーカ９５の前面と側面蓋（蓋体）８３の裏面とが空気層を介して対向配置されることが望ましい。
空気層が存在しない場合に比べて、面スピーカの振動板と空気層とによる共振周波数を低い方にシフトさせ、低音域の音圧の低下を少なくする。
【００７３】
そのための第１の具体例としては、側面蓋（蓋体）８３の裏面部に凹部８３ｂが形成され、これが、面スピーカ９５と側面蓋（蓋体）８３の裏面部との間に十分な距離の空気層として機能する。
ここで、側面蓋８３の枠体部８３ｃの一側面８３１に、多数の透孔（音孔）８３ｄが設けられている場合、側面蓋８３の凹部８３ｂにおける空気層の薄さを補うことができる。
【００７４】
第２の具体例は、図示を省略して説明する。側面蓋（蓋体）８３の裏面部は面一（図９の側面蓋８３とは異なり、凹部８３ｂがない）である。面スピーカ９５が配設された側面部８２が、面スピーカ取付枠（枠体部８２ｄ，枠体部８２ｅ）を有し、ここに、凹部８２ｂが形成され、この凹部８２ｂの底面（図９の側面板８２において、複数の透孔８２ｃがある板面の位置）に面スピーカ９５を配設する。
【００７５】
言い換えれば、面スピーカ９５は、面スピーカ取付枠（枠体部８２ｄ，枠体部８２ｅ）の表面（外界に面する側）に対し、音響伝搬空間（楽器本体部の内部空間）１０２側に後退して配設される。その結果、側面板８２の表面（外界に面する側）から、後退した面スピーカ９５の前面までの距離に応じた厚みの空気層ができるから、面スピーカ９５の前面と側面蓋８３の裏面部との間に十分な距離が確保される。
このとき、図９の側面板８２における複数の透孔８２ｃがある板面は、除去されるか、さらに、音響伝搬空間（楽器本体部の内部空間）１０２側に後退して形成される。
【００７６】
第３の具体例は、上述した第１の具体例と第２の具体例とを合わせた例である。
面スピーカの取付位置と側面蓋（蓋体）８３の裏面部との両方が対向して凹んでいるので、面スピーカ９５と側面蓋８３の裏面部との間に層の厚い空気層が確保されるものの、電子鍵盤楽器の上面から見て、使用時に、見かけ上大きく凹んでいる印象を与えない。
【００７７】
面スピーカ９５は、側面板８２に配設するに代えて、左右の少なくとも一方の側面蓋８３の裏側に設けてもよい。この場合、側面蓋（蓋体）８３の枠体部８３ｃが、面スピーカ取付枠となる。
上述した側面蓋８３は、側面板８２に対し、最大１３５度まで開かせることが可能である。蓋体の回転角度（開き角度）を演奏者が調整することにより、面スピーカ９５の前面から出力される音の伝搬方向を変更できる。
この場合も、側面蓋（蓋体）８３の凹部８３ｂは、面スピーカ９５の背面に対する空気層として作用する。側面蓋８３の側面に多数の透孔８３ｄが設けられている場合は、空気層の薄さを補う。
一方、面スピーカ９５を側面蓋８３の裏側に設けた場合も、側面蓋（蓋体）８３を閉じた状態で面スピーカ９５を動作させるときは、側面板８２に凹部８２ｂと多数の透孔８２ｃを設け、面スピーカ９５の前面から出力される音を、音響伝搬空間１０２に伝搬させることができる。
【００７８】
最後に、側面蓋（蓋体）８３が音響反射板となることについて説明する。面スピーカ９５は、図９に示される通り、左側面部及び又は右側面部８２の面スピーカ取付枠（枠体部８２ｄ，枠体部８２ｅ）に取り付けられている。
側面蓋８３を開いて面スピーカ９５を動作させれば、側面蓋（蓋体）８３の裏面は、音響反射面として利用できる。このとき、側面蓋（蓋体）８３の裏面が面一であってもかまわない。
蓋体の回転角度（開き角度）を演奏者が調整することにより、面スピーカ９５の前面から出力される音の反射方向が変更され、反射後の音の伝搬方向を変更できる。
【００７９】
ここで、図９に示した背面板９０にも面スピーカ（背面スピーカとなる）を設ければ、側面蓋８３の前面及び背面の両方を音響反射板として利用し、側面蓋８３の開き角度の調整により、面スピーカ９５（側面スピーカとなる）と背面スピーカとのいずれか一方に音響反射板を強く作用させたり、両方に作用させたりすることができる。
【００８０】
図１０は、本願発明の第３の実施形態であるポータブルシンセサイザ型電子鍵盤楽器の外観図である。
図１０（ａ）は斜視図、図１０（ｂ）は図１０（ａ）の切断線から矢視Xの方向を見た垂直断面の概要図である。
図１０（ａ）において、１１１は側面板（側面部）、１１２は天板（屋根部）、１１３は底板（底面部）、１１４は鍵盤部である。１１５は上前部である。側面部は、側面板１１１に加えて上前部１１５、後傾斜板１１２ｂ、後板１１３ｃ、下前板１１３ｄを含む。上前部１１５には上前板１１８がある。
【００８１】
側面板（側面部）１１１、天板（屋根部）１１２、底板（底面部）１１３、鍵盤部１１４、上前板１１８と内部空間１２４を有するものが楽器本体部であり、電子楽器の筐体でもある。楽器本体部は、鍵盤部１１４に対するユーザの鍵操作により楽音信号を生成する電子回路ブロック（楽音信号生成部）を内蔵する。
ここで、天板１１２は、その上面において前方左領域、すなわち、鍵盤の低音域にのみ、1又は複数本の線状孔１１２ａが形成され、前方の中央寄り左右に、操作パネル１１６ａ，１１６ｂを備え、後方の中央にディスプレイ１１７と操作パネル１１６ｃを備えている。一方、天板１１２は、図１０（ｂ）に示すように、その後方が後傾斜板１１２ｂとなる。
底板１１３は、基板１１３ａに対し、前方傾斜板１１３ｂと後板１１３ｃとが組み立てられたものであり、この前方傾斜板１１３ｂは下前板１１３ｄと一体成形されている。基板１１３ａの後方領域には、楽音信号生成部等の電子回路ブロック１２３が載置されている。
【００８２】
楽器本体部の側面部は、屋根部（天板１１２）と鍵盤部１１４との間に上前部１１５を有し、面スピーカ１３２がこの上前部１１５に配設される。
図１０（ｂ）に示すように、面スピーカパネル１１９は、筐体の一面をなし、枠体１３１に面スピーカ１３２が張設され、この面スピーカ１３２がパンチングパネル板１３３で覆われたものである。天板１１２と鍵盤部１１４との間に、上前板１１８を有している。
この実施の形態では、面スピーカパネル１１９が、上前板１１８の前面に取り付けられることにより、面スピーカ１３２は、上前部１１５のような、楽器本体部の一部に配設される。
面スピーカ１３２から出る平面波は鋭い指向性があるから、演奏者に聞こえがよい面スピーカ１３２の配置は上前部１１５となる。従って、上前部１１５の高さが低いため、広い面積が確保できない場合でも、鋭い指向性のために、演奏者に対して伝搬効率がよい。
【００８３】
この上前板１１８は、筐体の左右方向に延設された長尺体であり、音を通過させる1又は複数の透孔（音孔）１１８ａが形成された格子状の骨組みを有する。詳細は図１１、図１２を参照して後述する。後述する例では、上前板１１８のほぼ全面が格子部１１８ｂである。
加えて、コーンスピーカ１２０が、上述した上前部（側面部）１１５における楽器本体部の左側領域に配設されている。
【００８４】
面スピーカ１３２は、電子楽器筐体の内部空間１２４と外界とを仕切る位置に配設され、面スピーカ１３２から出力された音が内部空間１２４と外界との双方に伝搬する。
このような面スピーカ１３２の配設位置において、面スピーカ１３２の前面から出力される音は、パンチングパネル板１３３を経て外界に放出される。加えて、面スピーカ１３２の背面から出力される音は、上前板１１８の多数の透孔１１８ａを経て、内部空間１２４に伝搬し、筐体部分、例えば、天板１１２や基板１１３ａ等を振動させて外界に音を２次放出させたり、内部空間１２４が外界に解放されている複数の線状孔１１２ａ等から外界に放出させたりする。
【００８５】
鍵盤部１１４の鍵盤フレーム１１４ａは、基板１１３ａと前方傾斜板１１３ｂの上に取り付けられ、鍵盤フレーム１１４ａは、垂直リブ１１４ｂにより補強され、白鍵１１４ｃ及び黒鍵１１４ｄを支持する。
コーンスピーカ１２０は、基板１１３ａに立設されたフレーム板１２１に取り付けられ、その前面開口部１２０ａの中心軸方向は、前方斜め上である。従って、前面開口部１２０ａは、上前板１１８の背面及び上述した複数の線状孔１１２ａの方向を向いている。また、上前板１１８の下部は、保持部材１２２によりフレーム板１２１に支持される。
【００８６】
面スピーカパネル１１９とコーンスピーカ１２０とは、上前部１１５を挟んで、上前部１１５の前面と背面とに配設されている。
コーンスピーカ１２０は、その前面開口部１２０ａと1又は複数の透孔１１８ａによる開口領域の一部とが対向するように配設される。言い換えれば、前面開口部１２０ａは、上前板１１８における複数の透孔１１８ａの面積の総和である音響透過面積の一部と対向する。図示の例では、前面開口部１２０ａが、鍵盤部１１４の鍵配列方向における、楽器本体部の左端部領域内に位置するように配設される。
【００８７】
一方、面スピーカパネル１１９の面スピーカ１３２は、その振動面と1又は複数の透孔１１８ａによる開口領域の半分以上とが対向するように配設されている。言い換えれば、面スピーカ１３２の背面は、上述した音響透過面積の半分以上と対向するようにする。
図示の例では、その振動面が上前板１１８の長手方向に延び、鍵盤部１１４の鍵配列方向の幅とほぼ同じ幅にわたって、上前板１１８の前面に配設されている。鍵盤部１１４の両側に拍子木１１４ｅ，１１４ｆがあり、拍子木１１４ｅ，１１４ｆを含めた鍵盤部１１４の鍵配列方向の幅が、面スピーカ１３２とほぼ同じ幅になる。
従って、面スピーカ１３２の横幅を長くして面スピーカ１３２の面積を広くとることができるので、低音域の音圧を上げることができる。
【００８８】
面スピーカパネル１１９とコーンスピーカ１２０とは、演奏者の側から見て重なっている。従って、上述したコーンスピーカ１２０の前面開口部１２０ａに対向する開口領域と、面スピーカ１３２に対向する開口領域とは、少なくとも部分的に重複する。図示の例では、完全に重複する。
上述した面スピーカ１３２及びコーンスピーカ１２０は、電子回路ブロック（楽音信号生成部）１２３から出力された楽音信号に応じた音を出力する。
面スピーカ１３２は、その前面と背面とから音が放出される。上前板１１８に形成された1又は複数の透孔１１８ａは、背面から放出される音を筐体の内部空間１２４側に逃がす働きをするので、面スピーカ１３２の背面側の空気層が薄くても、これを補って、面スピーカの振動板と空気層とによる共振周波数が高くならない。
コーンスピーカ１２０の前面開口部１２０ａから放出された音は、面スピーカ１３２を透過して前面に放出されるとともに、天板１１２の線状孔１１２ａからも放出される。
【００８９】
なお、面スピーカは、また、底板（底面部）の前方傾斜板１１３ｂに配設されてもよく、また、後傾斜板１１２ｂに配設されてもよい。図示の後板１１３ｃは、その前後に上下２段になっており、その上段である後上底板１１３ｅに面スピーカを配設してもよい。面スピーカは、複数の箇所に配設されて、電子楽器の筐体に収容されてもよい。
図1に示した実施形態において、鍵盤部４の直下の棚板３に多数の透孔（音孔）を開けて、面スピーカを配設する例を説明した。上述した前方傾斜板１１３ｂ、後傾斜板１１２ｂ、後上底板１１３ｅにも、同様に多数の透孔（音孔）を開けて面スピーカを配設することができる。
一方、コーンスピーカ１２０は、基板（棚板）１１３ａに配設されてもよく、電子楽器の複数の箇所に配設されてもよい。
【００９０】
図１１は、図１０に示した実施形態における面スピーカパネル１１９の取付構造を示す第１の説明図である。
図１１（ａ）は図１０（ｂ）に示した垂直断面の部分拡大図、図１１（ｂ）は保持部材１２２の取付構造を示す斜視図である。
図示の例では、上前板１１８が天板１１２と一体的に成型されている。天板１１２に複数の横長の線状孔１１２ａが設けられ、その内、一番演奏者側に近い孔は、１段下がった線状板１１２ｃとして形成されている。
上前板１１８は、全体として、複数の透孔１１８ａが形成された格子部１１８ｂを有し、格子部１１８ｂの周囲領域に取付孔１１８ｃ，１１８ｄが形成されている。
【００９１】
上前板１１８の下部は、前方に折り返して段差部１１８ｅを有し、段差部１１８ｅの下面において、図示しないネジ部材により保持部材１２２に取り付けられる。
保持部材１２２は、その前部において、縦に直角に折り曲げられ、さらにその下部が水平に切り起されて取付部１２２ａとなり、ここに上前板１１８を取り付けるためのネジ孔１２２ｂが形成されている。
保持部材１２２は、その後部において、縦に直角に折り曲げられて取付部１２２ｃがあり、この保持部材１２２を、図１０（ｂ）に示したフレーム板１２１に取り付けるための取付孔１２２ｄが形成されている。
【００９２】
面スピーカパネル１１９の枠体１３１は、中央に大きな矩形の開口部１３１ａを備えた、面スピーカ１３２の支持体である。その上縁部と下縁部とにおける、鍵盤部１１４の鍵配列方向の２箇所以上において、係合突起が背面側に形成されている。この係合突起は、弾性変形部１３１ｂと係止部１３１ｃ、弾性変形部１３１ｅと係止部１３１ｆにより構成されている。
【００９３】
面スピーカ１３２は、枠体１３１の前面から枠体１３１の上縁部、下縁部を回って枠体１３１の背面まで張設されて接着剤等により枠体１３１に固着される。
パンチングパネル板１３３の上端部１３３ａは、枠体１３１の上部の曲面に沿って曲面を描き、天板１１２の前面に沿って直角に折り曲げられ、次に、枠体１３１の上部の前面に接するように折り曲げられている。ネジ部材１３５が、枠体１３１の取付孔１３１ｄを通して面スピーカ１３２、パンチングパネル板１３３の折り返し部のネジ孔１３３ｂまでねじ込まれる。
一方、パンチングパネル板１３３の下端部１３３ｃは、面スピーカ１３２が固着された枠体１３１の前面から直角に折り曲げられている。この下端部１３３ｃの上面は、取付部１３３ｄが面スピーカ１３２に接した状態で、面スピーカ１３２の底面btと重なり合う。
【００９４】
図１２は、図１０に示した実施形態における面スピーカパネル１１９の取付構造を示す第２の説明図である。
ネジ部材１３５により、枠体１３１、面スピーカ１３２が、図１１に示したパンチングパネル板１３３の上端部１３３ａにねじ止めされる。
また、パンチングパネル板１３３の取付部１３３ｄが、下端部１３３ｃからの切り起しにより形成され、ここにネジ孔１３３ｅが形成されている。ネジ部材１４３により、取付孔１３１ｇから、枠体１３１、面スピーカ１３２を経て、パンチングパネル板１３３のネジ孔１３３ｅにねじ止めされる。その結果、パンチングパネル板１３３の下端部１３３ｃが面スピーカパネル１１９の底面となる。
なお、上述したパンチングパネル板１３３は、面スピーカ１３２を保護し、音を透過するものであればよく、図示しない枠体にネットを張設したものや、合成樹脂製の板材で、複数の線状の透孔（音孔）が形成されたスピーカグリルであってもよい。
【００９５】
上述した面スピーカパネル１１９（図１２）は、その係合突起（弾性変形部１３１ｂと係止部１３１ｃ、弾性変形部１３１ｅと係止部１３１ｆ）を、それぞれ、上前板１１８の取付孔（係着部）１１８ｃ（図１１），１１８ｄに装着する。係止部１３１ｃ，１３１ｆが取付孔（係着部）１１８ｃ，１１８ｄの前面に押し込まれることにより、弾性変形部１３１ｂ、１３１ｅが撓み、係止部１３１ｃ，１３１ｆが取付孔１１８ｃ，１１８ｄを貫通し、弾性変形部１３１ｂ、１３１ｅの撓みが若干戻ることにより、係止部１３１ｃ，１３１ｆが取付孔１１８ｃ，１１８ｄの背面の角部に係合固定される。面スピーカパネル１１９の底面である、パンチングパネル板１３３の下端部１３３ｃは、上前板１１８の段差部１１８ｅに載置される。
このようにして、面スピーカパネル１１９を上前板１１８に対し、簡単に取付け固定することができる。
【００９６】
図示の例では、係止部の側に弾性変形部１３１ｂ，１３１ｅがあって、係合突起を構成する。しかし、係着部の側に弾性変形部があってもよい。例えば、上前板１１８の側に、上述した係合突起（弾性変形部１３１ｂと係止部１３１ｃ、弾性変形部１３１ｅと係止部１３１ｆ）と同様な形状の係合突起（弾性変形部と係止部）を有し、枠体１３１の側には、上述した取付孔１１８ｃ，１１８ｄと同様な形状の取付孔を有する場合である。また、係止部の側と係着部の側の両方に弾性変形部があってよい。
【００９７】
面スピーカパネル１１９の背面と上側面とが接する辺において、図示の例では面スピーカ１３２の端部上の鍵配列方向に防振部材１４１が貼設される。面スピーカパネル１１９の背面と底面とが接する辺において、図示の例では面スピーカ１３２の端部上の鍵配列方向に防振部材１４２が貼設されている。これらの防振部材１４１，１４２は、例えば防振ゴム部材であり、面スピーカパネル１１９が上前板１１８に装着された後において、両者の隙間に介在し、面スピーカパネル１１９が不用意に振動したり、外れたりしないようにする。
【００９８】
上述した面スピーカパネル１１９は取り外すこともできる。図１１において、上述した係止部１３１ｃと取付孔１１８ｃとの係合箇所の近傍（係合に作用できる程度の近傍)において、線状孔１１２ａと線状板１１２ｃとの間に僅かな隙間が形成されている。ここに、マイナスドライバ１３４のような細長い工具を差し込み、係合突起の係止部１３１ｃを押し下げて、弾性変形部１３１ｂを撓ませ、係止部１３１ｃと取付孔１１８ｃとの係合を解除し、係止部１３１ｃを取付孔１１８ｃから引き抜く。
その後、面スピーカパネル１１９を上方に浮かすことにより、下の係合突起の係止部１３１ｆと取付孔１１８ｄとの係合が解除される。このようにして、枠体１３１の係合突起を取付孔１１８ｃ，１１８ｄから離脱させ、面スピーカパネル１１９を上前板１１８から外すことができる。
【００９９】
上述した説明において、面スピーカ１３２への駆動電流の供給は、面スピーカ１３２から引き出された入力線と、電子回路ブロック１２３にある駆動回路の出力線とを、プラグ，ソケット等のコネクタを用いて電気的に接続すればよい。
あるいは、図示を省略するが、上述した係合突起（弾性変形部１３１ｂ，係止部１３１ｃ、弾性変形部１３１ｅ，係止部１３１ｆ）、及び、取付孔１１８ｃ，１１８ｄに、それぞれ電気的接触部材を設け、係合突起と取付孔とを、機械的な結合部材とするに加えて、電気的コネクタ（プラグ及びソケット）とすることもできる。
上述した面スピーカ１３２は、図７に示した面スピーカ７のように、モノラル信号の供給を受けてよい。しかし、面スピーカ１３２は、鍵配列方向に長いため、左チャンネル用の面スピーカ１３２Lと左チャンネル用の面スピーカ１３２Rとに分けた面スピーカパネル１１９として上前板１１８に装着したり、面スピーカパネル１１９自体を左チャンネル用、右チャンネル用に分けて、上前板１１８に装着したりしてもよい。その際、図１０（ａ）に示した左側領域にあるコーンスピーカ１２０を、上前部（側面部）１１５の右側領域にも配設し、これらをステレオスピーカとしてもよい。
【符号の説明】
【０１００】
１…側面板、２…屋根板、２ａ…大屋根板、２ｂ…前屋根板、２ｃ…当接部、３…棚板、４…鍵盤部、５…鍵盤蓋、６…譜面板、７…面スピーカ、８…内蓋板、９…収容部、１０…突上棒、１０ａ…突上棒下部、１０ｂ…突上棒上部、１０ｃ…先端、１０ｄ…上端部、１１…ペダルユニット、１１ａ…ペダル、１１ｂ…ペダル箱、１１ｃ…ペダル脚、１２…脚柱、１３…キャスタ、１４，１４ａ〜１４ｄ…リンク機構、１５…リンク、１５ａ，１５ｂ…軸受、１６，２２…凹部、１６ａ，２２ａ…面、２１…蝶番、２２…凹部、２３，２４…軸、２５…角部、
３０…面スピーカ、３１…第３の絶縁性シート、３２…第１の固定電極シート、３２ａ…貫通孔、３３…第１の絶縁性シート、３４…振動電極シート、３５…第２の絶縁性シート、３６…第２の固定電極シート、３６ａ…貫通孔、３７…第４の絶縁性シート、３８ａ〜３８ｈ，３９ａ〜３９ｈ…接着層、
４０…面スピーカ、４１ａ，４１ｂ，４１ｃ…接着層、
５０Ａ，５０Ｂ…面スピーカ、５１1〜５１5…面スピーカユニット、５２…連接部、５３1〜５３4…面スピーカユニット、５４ａ，５４ｂ…連接部、５４ｃ…周縁部、
６１…検出部、６２…制御部、６３…音源部、６４…操作子、６５…自動演奏部、６６…曲データ記憶部、６７…MIDIインタフェース、６８L，６８R，７０L，７０R…増幅器、６９L，６９R…外部端子、７０L，７０R…増幅器、７１L，７１R…ダイナミック型コーンスピーカ、７２…混合部、７３…増幅器、７４…昇圧トランス、７５…バイアス直流電源、７６…抵抗器、７７，７８，７９…端子、
８１…脇側面板、８２…側面板、８２ａ…取っ手凹部、８２ｂ…凹部、８２ｃ…透孔、８２ｄ，８２ｅ…枠体部、８２ｆ…貫通孔、８２ｇ…係着部、８２ｈ…貫通孔、８３…側面蓋、８３ａ…取っ手凹部、８３ｂ…凹部、８３ｃ…枠体部、８３１…枠体部８３ｃの一側面、８３ｄ…透孔、８３ｅ…係合突起、８４…前脚、８５…ステー、８６…鍵盤蓋、８７…口棒、８８…上前板、８９…譜面受、９０…背面板、９１…天板、９２…譜面板、９３…ペダルユニット、９３ａ…ペダル、９４…下前板、９４ａ…透孔、９５…面スピーカ、９６ａ…摘み部、９６ｂ…作動子、９６…解除ボタン、９７，９８…コーン型スピーカ、１０１…音響反射板、１０２…音響伝搬空間、１０３…ネット、１０４…蝶番、１０５…復帰バネ、
１１１…側面板、１１２…天板、１１２ａ…線状孔、１１２ｂ…後傾斜板、１１２ｃ…線状板、１１３…底板、１１３ａ…基板、１１３ｂ…前方傾斜板、１１３ｃ…後板、１１３ｄ…下前板、１１３ｅ…後上底板、１１４…鍵盤部、１１４ａ…鍵盤フレーム、１１４ｂ…垂直リブ、１１４ｃ…白鍵、１１４ｄ…黒鍵、１１４ｅ，１１４ｆ…拍子木、１１５…上前部、１１６ａ，１１６ｂ，１１６ｃ…操作パネル、１１７…ディスプレイ、１１８…上前板、１１８ａ…透孔、１１８ｂ…格子部、１１８ｃ，１１８ｄ…取付孔、１１８ｅ…段差部、１１９…面スピーカパネル、１２０…コーン型スピーカ、１２０ａ…前面開口部、１２１…フレーム板、１２２…保持部材、１２２ａ…取付部、１２２ｂ…ネジ孔、１２２ｃ，１２２ｄ…取付孔、１２３…電子回路ブロック、１２４…内部空間、１３１…枠体、１３１ａ…開口部、１３１ｂ…弾性変形部、１３１ｃ…係止部、１３１ｄ…取付孔、１３１ｅ…弾性変形部、１３１ｆ…係止部、１３１ｇ…取付孔、１３２，１３２L，１３２R…面スピーカ、１３３…パンチングパネル板、１３３ａ…上端部、１３３ｂ…ネジ孔、１３３ｃ…下端部、１３３ｄ…取付部、１３３ｅ…ネジ孔、１３４…マイナスドライバ、１３５…ネジ部材、１４１，１４２…防振部材、１４３…ネジ部材
【図１】
0005703612.tif 000002
【図２】
0005703612.tif 000003
【図３】
0005703612.tif 000004
【図４】
0005703612.tif 000005
【図５】
0005703612.tif 000006
【図６】
0005703612.tif 000007
【図７】
0005703612.tif 000008
【図８】
0005703612.tif 000009
【図９】
0005703612.tif 000010
【図１０】
0005703612.tif 000011
【図１１】
0005703612.tif 000012
【図１２】
0005703612.tif 000013